(57)【要約】【課題】    簡単な構造で回転部材の回転角度を減少させ、安価な減速機構、減速ユニットを得る。【解決手段】  内歯ギア６４と遊星ギア６０のギア比によって、入力軸２６の回転速度に対して、入力軸５２を減速させた状態で回転させるようにし、内歯ギア６４と遊星ギア７４のギア比によって、入力軸５２の回転速度に対して、出力軸６８を減速させた状態で回転させるようにしている。このように、２段階で減速することで、入力角度に対して出力角度を微少にすることができ、厳密かつ高精度の回転角度を設定することができる。また、内歯ギア６４と遊星ギア６０、７４による簡単な構造で、受信部材の回転角度を減少させることができるため、モータなどを用いる場合と比較して安価である。【選択図】    図４
2006077882.tif 000002
【特許請求の範囲】
【請求項１】
第１入力軸と、
前記第１入力軸の軸部に設けられた第１太陽歯車と、
前記第１太陽歯車と噛み合う第１遊星歯車と、
前記第１遊星歯車が噛み合い、第１遊星歯車を公転させる内歯歯車と、
前記第１入力軸の同軸上に設けられ、前記第１遊星歯車を回転可能に軸支し、第１遊星歯車の公転で回転して、前記第１入力軸の回転速度に対して減速される第２入力軸と、
前記第２入力軸の軸部に設けられた第２太陽歯車と、
前記第２太陽歯車と噛み合うと共に、前記内歯歯車に噛み合う第２遊星歯車と、
前記第２入力軸の同軸上に設けられ、前記第２遊星歯車を回転可能に軸支し、第２遊星歯車の公転で回転して、前記第２入力軸の回転速度に対して減速される出力軸と、
を有することを特徴とする減速機構。
【請求項２】
円筒状のハウジングと、
前記ハウジングの同軸上に設けられた第１入力軸と、
前記第１入力軸の軸部に設けられた第１太陽歯車と、
前記ハウジング内に配置され、前記第１太陽歯車と噛み合う第１遊星歯車と、
前記ハウジングの内周面に形成され、前記第１遊星歯車が噛み合い、第１遊星歯車を公転させる内歯歯車と、
前記ハウジング内に配置され、前記第１入力軸の同軸上に設けられ、前記第１遊星歯車を回転可能に軸支し、第１遊星歯車の公転で回転して、前記第１入力軸の回転速度に対して減速される第２入力軸と、
前記第２入力軸の軸部に設けられた第２太陽歯車と、
前記ハウジング内に配置され、前記第２太陽歯車と噛み合うと共に、前記内歯歯車に噛み合う第２遊星歯車と、
前記ハウジング内に配置され、前記第２入力軸の同軸上に設けられ、前記第２遊星歯車を回転可能に軸支し、第２遊星歯車の公転で回転して、前記第２入力軸の回転速度に対して減速される出力軸と、
を有することを特徴とする減速ユニット。
【請求項３】
請求項２に記載のハウジングが本体に固定され、前記本体に対して回転可能に設けられた回転部材の一端部が前記ハウジング内に配置された出力軸に固定されることを特徴とする減速回転装置。
【請求項４】
前記本体に対して回転不能に設けられたクリックベースと、前記クリックベースに設けられた係合部と、請求項１又は２に記載の第１入力軸に設けられ、前記係合部と係合及び係合を解除して前記第１入力軸の回転を許容する被係合部と、を有することを特徴とする請求項３に記載の減速回転装置。
【請求項５】
請求項３又は４に記載の回転部材が、信号を送信する送信機器又は送信された信号を受信する受信機器であることを特徴とする送信／受信機器。
【請求項６】
請求項５に記載の送信／受信機器を備えたことを特徴とするテレビ送受信機器。
【発明の詳細な説明】
【技術分野】
【０００１】
本発明は、本体に対して回転可能に設けられた回転部材の回転角度を減少させる減速機構、減速ユニット、減速回転装置、送信／受信機器及びテレビ送受信機器に関する。
【背景技術】
【０００２】
従来から、本体に対して回転可能に設けられた回転部材の回転角度を減少させる減速ユニットがある。例えば、特許文献１では、操作部材（回転部材に相当）の回転方向及び回転量が検出されると、その回転方向及び回転量に相当する検出信号が制御手段に出力され、モータが制御される。これにより、モータの出力軸からは、操作部材による回転方向の逆方向で所定の大きさの回転力が出力される。
【０００３】
ここで、操作部材の回転操作によって出力軸が回転する回転角度は、キャリア軸、キャリア、プラネットギア及びサンギアを介して、出力軸へ伝達されるため、サンギアとリングギアのギア比により増大する。
【０００４】
一方、モータからの回転力によって操作部材が回転する回転角度は、サンギア、プラネットギア、キャリアおよびキャリア軸を介して操作部材に伝達されるため、サンギア１とリングギアのギア比により減少する。
【０００５】
このように、プラネットギア、サンギア等を利用することで、操作部材の回転角度を増大又は減少させることができるが、モータを利用するため、部品点数が多く、コストアップとなってしまう。
【特許文献１】特開２００４−１５３９２７号公報
【発明の開示】
【発明が解決しようとする課題】
【０００６】
本発明は上記事実を考慮して、簡単な構造で回転部材の回転角度を減少させ、安価な減速機構、減速ユニットを提供することを課題とする。
【課題を解決するための手段】
【０００７】
請求項１に記載の発明は、減速機構において、第１入力軸と、前記第１入力軸の軸部に設けられた第１太陽歯車と、前記第１太陽歯車と噛み合う第１遊星歯車と、前記第１遊星歯車が噛み合い、第１遊星歯車を公転させる内歯歯車と、前記第１入力軸の同軸上に設けられ、前記第１遊星歯車を回転可能に軸支し、第１遊星歯車の公転で回転して、前記第１入力軸の回転速度に対して減速される第２入力軸と、前記第２入力軸の軸部に設けられた第２太陽歯車と、前記第２太陽歯車と噛み合うと共に、前記内歯歯車に噛み合う第２遊星歯車と、前記第２入力軸の同軸上に設けられ、前記第２遊星歯車を回転可能に軸支し、第２遊星歯車の公転で回転して、前記第２入力軸の回転速度に対して減速される出力軸と、を有することを特徴としている。
【０００８】
請求項１に記載の発明では、第１入力軸の軸部には第１太陽歯車が設けられており、第１太陽歯車には第１遊星歯車を噛合させている。この第１遊星歯車には内歯歯車が噛み合い、これによって、第１遊星歯車が公転する。
【０００９】
一方、第１入力軸の同軸上には、第１遊星歯車を回転可能に軸支する第２入力軸を設けており、第１遊星歯車の公転によって第２入力軸が回転する。このため、第２入力軸は、内歯歯車と第１遊星歯車のギア比によって、第１入力軸の回転速度に対して減速された状態で回転することとなる。
【００１０】
また、第２入力軸の軸部には第２太陽歯車を設けており、第２太陽歯車には内歯歯車に噛み合う第２遊星歯車を噛合させている。さらに、第２入力軸の同軸上には出力軸を設けており、第２遊星歯車を回転可能に軸支している。この第２遊星歯車の公転によって出力軸が回転する。このため、出力軸は、内歯歯車と第２遊星歯車のギア比によって、第２入力軸の回転速度に対して減速された状態で回転することとなる。
【００１１】
従って、第１入力軸からの回転速度は、２段階で減速され、第１入力軸の回転角度に対して、出力軸の回転角度は極めて小さくなってしまう。すなわち、入力角度に対して出力軸の微量の回転移動が可能となり、厳密かつ高精度の回転角度を設定することができる。また、内歯歯車と遊星歯車による簡単な構造で出力軸の回転角度を減少させることができるため、モータなどを用いる場合と比較して安価である。
【００１２】
請求項２に記載の発明は、減速ユニットにおいて、円筒状のハウジングと、前記ハウジング内に配置された第１入力軸と、前記第１入力軸の軸部に設けられた第１太陽歯車と、前記ハウジング内に配置され、前記第１太陽歯車と噛み合う第１遊星歯車と、前記ハウジングの内周面に形成され、前記第１遊星歯車が噛み合い、第１遊星歯車を公転させる内歯歯車と、前記ハウジング内に配置され、前記第１入力軸の同軸上に設けられ、前記第１遊星歯車を回転可能に軸支し、第１遊星歯車の公転で回転して、前記第１入力軸の回転速度に対して減速される第２入力軸と、前記第２入力軸の軸部に設けられた第２太陽歯車と、前記ハウジング内に配置され、前記第２太陽歯車と噛み合うと共に、前記内歯歯車に噛み合う第２遊星歯車と、前記ハウジング内に配置され、前記第２入力軸の同軸上に設けられ、前記第２遊星歯車を回転可能に軸支し、第２遊星歯車の公転で回転して、前記第２入力軸の回転速度に対して減速される出力軸と、を有することを特徴としている。
【００１３】
請求項２に記載の発明では、円筒状のハウジング内には、第１入力軸を配置しており、第１入力軸の軸部には第１太陽歯車を設けている。また、ハウジング内には第１太陽歯車と噛み合う第１遊星歯車を配置しており、第１太陽歯車に噛合させると共に、ハウジングの内周面に形成された内歯歯車に噛合させ、第１遊星歯車を公転させるようにしている。
【００１４】
さらに、ハウジング内には、第１入力軸の同軸上に、第１遊星歯車を回転可能に軸支する第２入力軸を配置しており、この第２入力軸は第１遊星歯車の公転によって回転する。このため、第２入力軸は、内歯歯車と第１遊星歯車のギア比によって、第１入力軸の回転速度に対して減速された状態で回転することとなる。
【００１５】
また、第２入力軸の軸部には第２太陽歯車を設けており、ハウジング内には第２太陽歯車と噛み合うと共に、内歯歯車に噛み合う第２遊星歯車を配置している。また、ハウジング内には、第２入力軸の同軸上に、第２遊星歯車を回転可能に軸支する出力軸を配置しており、この出力軸は第２遊星歯車の公転によって回転する。このため、出力軸は、内歯歯車と第２遊星歯車のギア比によって、第２入力軸の回転速度に対して減速された状態で回転することとなる。
【００１６】
このように、出力軸は２段階で減速されるため、第１入力軸の回転角度に対して、出力軸の軸部の回転角度は極めて小さくなってしまう。すなわち、入力角度に対して出力角度を微少にすることができ、厳密かつ高精度の回転角度を設定することができる。
【００１７】
さらに、第１入力軸、第１遊星歯車、第２入力軸、第２遊星歯車、出力軸がハウジング内に配置されるため、各構成部品をユニット化することができ、組み立て作業が容易になる。
【００１８】
請求項３に記載の発明は、減速回転装置において、請求項２に記載のハウジングが本体に固定され、前記本体に対して回転可能に設けられた回転部材の一端部が前記ハウジング内に配置された出力軸に固定されることを特徴としている。
【００１９】
請求項３に記載の発明では、ハウジングを本体に固定し、本体に対して回転可能に設けられた回転部材の一端部を出力軸に固定することで、回転部材の精度良く回転させることができる。
【００２０】
請求項４に記載の発明は、請求項３に記載の減速回転装置において、前記本体に対して回転不能に設けられたクリックベースと、前記クリックベースに設けられた係合部と、請求項１又は２に記載の第１入力軸に設けられ、前記係合部と係合及び係合を解除して前記第１入力軸の回転を許容する被係合部と、を有することを特徴としている。
【００２１】
請求項４に記載の発明では、本体に対して回転不能なクリックベースを設け、このクリックベースに係合部を設けている。この係合部と係合及び係合を解除する被係合部を第１入力軸に設けることで、係合部と被係合部が係合解除された状態で、第１入力軸の回転が許容され、係合部と被係合部が係合した状態で、第１入力軸を回転停止させることができる。このため、係合部と被係合部が係合した状態では、第１入力軸を介して回転する回転部材を所定の回転位置に保持することができる。
【００２２】
また、係合部に対して被係合部が、係合状態から係合解除され再度係合状態となるとき、クリック音が発生するため、第１入力軸を回転させるときに、回転角度を感覚で得ることができる。
【００２３】
請求項５に記載の発明は、送信／受信機器において、請求項３又は４に記載の回転部材が、信号を送信する送信機器又は送信された信号を受信する受信機器であることを特徴としている。
【００２４】
請求項５に記載の発明では、送信機器又は受信機器の角度調節を厳密にすることができるため、映像信号、音声信号等を無線、赤外線等の通信手段により信号を送受信する場合、ノイズのない高速で効率的な送受信を行うことができる。
【００２５】
請求項６に記載の発明は、テレビ送受信機器において、請求項５に記載の送信／受信機器を備えたことを特徴としている。
【００２６】
請求項６に記載の発明では、プラズマディスプレイや液晶、プロジェクター等において、送信機器と受信機器を別体にする場合、請求項５に記載の効果を得ることができる。
【発明の効果】
【００２７】
本発明は、上記構成としたので、請求項１に記載の発明では、第１入力軸からの回転速度は、２段階で減速され、第１入力軸の回転角度に対して、出力軸の回転角度は極めて小さくなってしまう。すなわち、入力角度に対して出力軸の微量の回転移動が可能となり、厳密かつ高精度の回転角度を設定することができる。また、内歯歯車と遊星歯車による簡単な構造で出力軸の回転角度を減少させることができるため、モータなどを用いる場合と比較して安価である。
【００２８】
請求項２に記載の発明では、請求項１に記載の効果に加え、第１入力軸、第１遊星歯車、第２入力軸、第２遊星歯車、出力軸がハウジング内に配置されるため、各構成部品をユニット化することができ、組み立て作業が容易になる。
【００２９】
請求項３に記載の発明では、ハウジングを本体に固定し、本体に対して回転可能に設けられた回転部材の一端部を出力軸に固定することで、回転部材の精度良く回転させることができる。
【００３０】
請求項４に記載の発明では、係合部と被係合部が係合解除された状態で、第１入力軸の回転が許容され、係合部と被係合部が係合した状態で、第１入力軸を回転停止させることができる。このため、係合部と被係合部が係合した状態では、第１入力軸を介して回転する回転部材を所定の回転位置に保持することができる。また、係合部に対して被係合部が、係合状態から係合解除され再度係合状態となるとき、クリック音が発生するため、第１入力軸を回転させるときに、回転角度を感覚で得ることができる。
【００３１】
請求項５及び６に記載の発明では、送信機器又は受信機器の角度調節を厳密にすることができるため、映像信号、音声信号等を無線、赤外線等の通信手段により信号を送受信する場合、ノイズのない高速で効率的な送受信を行うことができる。
【発明を実施するための最良の形態】
【００３２】
図１には、本発明の実施の形態に係る減速ユニット１０が適用されたテレビ受信機器のチューナー１２が示されている。このチューナー１２の前面には、受信部１４が設けられており、遠隔に配置された送信機器としてのテレビ（図示省略）側に設けられた送信部から送信された信号を受信可能としている。
【００３３】
このため、テレビの送信部からの信号を受信部１４側で確実に受信させるため、テレビの送信器に対して、受信部１４の角度設定を正確に行う必要があり、本発明の減速ユニット１０を用いて、実現可能としている。
【００３４】
以下、図面を参照して本発明の実施の形態に係る減速ユニットについて説明する。
【００３５】
まず、図１に示すように、受信部１４は角柱状を成す受信部材１６に内蔵されており、チューナー本体１８の前面に切り欠かれた凹部２０内に受信部材１６が収容可能となっている。この受信部材１６の両端部には軸部２２（図２参照）が設けられており、チューナー本体１８に対して回転可能に軸支されている。
【００３６】
また、受信部材１６の一端部には、受信部材１６の上面から前面にかけて形成された開口部２４が設けられており、開口部２４からは、受信部材１６に内蔵された減速ユニット１０を構成する入力軸２６（図３参照）のスライダー２８が露出し、このスライダー２８を回転させることで、受信部材１６が回転する。
【００３７】
ここで、減速ユニット１０の構成について説明する。
【００３８】
図２〜図４に示すように、減速ユニット１０を構成するハウジング３０は、円筒状を成しており、受信部材１６に対して回転可能に設けられている。ハウジング３０の一端側には、ハウジング３０の周方向に沿って開口部３２が形成されており、受信部材１６の開口部２４と連通するように設けられている。
【００３９】
また、ハウジング３０の一端側には、略円筒状の入力軸２６が収納可能となっており、この入力軸２６の外周面には、入力軸２６の径方向へ向かって突出するスライダー２８が取付可能とされている。
【００４０】
このスライダー２８は、入力軸２６がハウジング３０内に収納された状態で、ハウジング３０の開口部３２及び受信部材１６の開口部２４を通じて外部に露出可能となっている。このスライダー２８によって入力軸２６が回転可能となる。
【００４１】
ここで、入力軸２６の内周面には、ラチェット部３４が形成されており、略円筒状に形成されたクリックベース３６が内挿可能となっている。クリックベース３６の外周面には、一対の爪部３８がクリックベース３６の径方向へ向かって縮径可能に突出しており、入力軸２６のラチェット部３４に係合可能となっている。
【００４２】
このため、入力軸２６を回転させると、クリック感が得られると共に、ラチェット部３４のピッチに合わせて、入力軸２６を所定の回転角度で停止させることが可能となる。
【００４３】
また、クリックベース３６の内部には、円弧状の板バネ４０が装着可能となっており、クリックベース３６の内部に装着された状態で、爪部３８を外側へ押し出すように付勢して、クリックベース３６の爪部３８と入力軸２６のラチェット部３４との係合力を高めている（図６参照）。
【００４４】
さらに、クリックベース３６の一端部には、フランジ部４２が設けられており、入力軸２６の端面に当接可能となっている。このフランジ部４２の上面には、対面する円弧を切り落としたキー部４４が突設されている。
【００４５】
一方、チューナー本体１８の凹部２０の側壁２０Ａには、クリックベース３６のフランジ部４２及びキー部４４が嵌合可能な嵌合凹部２１が凹設されており、フランジ部４２及びキー部４４が嵌合し、チューナー本体１８に対してクリックベース３６が回り止めされる。
【００４６】
また、凹部２０の側壁２０Ａには貫通孔４６が形成されており、固定ビス４８が挿通可能となっている。この固定ビス４８はハウジング３０の一端面に形成されたねじ孔５０にねじ込み可能となっており、貫通孔４６を貫通しねじ孔５０に固定ビス４８をねじ込んだ状態でハウジング３０がチューナー本体１８に固定される。
【００４７】
ところで、ハウジング３０内には、入力軸２６の同軸上に、略円柱状の入力軸５２が収納可能となっており、この入力軸５２の入力軸２６側（入力軸５２の一端側）中央には、シャフト５４が突出すると共に、このシャフト５４を間において、一対のシャフト５６が対向して突出している。
【００４８】
一方、入力軸２６の一端部側は閉塞されており、一端部中央には円筒状の太陽ギア５８が設けられている。この太陽ギア５８が入力軸５２のシャフト５４に挿通可能となっており、シャフト５６にはリング状の遊星ギア６０がそれぞれ挿通可能となっている。
【００４９】
太陽ギア５８及び遊星ギア６０がシャフト５４、５６に挿通された状態で、太陽ギア５８の回りに一対の遊星ギア６０が噛合することとなる。また、太陽ギア５８には平ワッシャー６２が外挿されており、入力軸５２の一端面と遊星ギア６０との間に生じるガタを吸収している。
【００５０】
また、ハウジング３０の内周面には、内歯ギア６４が形成されており、図５に示すように、遊星ギア６０が該内歯ギア６４に噛合し、太陽ギア５８によって自転すると共に、内歯ギア６４によって公転する。この遊星ギア６０の公転により、入力軸５２が回転する。
【００５１】
また、図３及び図４に示すように、入力軸５２の他端側中央には、円筒状の太陽ギア６６が設けられている。一方、ハウジング３０内には、入力軸５２の同軸上に、出力軸６８が収納可能となっており、この出力軸６８の入力軸５２側（出力軸６８の一端側）中央には、シャフト７０が突出すると共に、このシャフト７０を間において、一対のシャフト７２が対向して突出している。
【００５２】
シャフト７０には太陽ギア６６が挿通可能となっており、シャフト７２にはリング状の遊星ギア７４がそれぞれ挿通可能となっている。太陽ギア６６及び遊星ギア７４がシャフト７０、７２に挿通された状態で、太陽ギア６６の回りに一対の遊星ギア７４が噛合することとなる。また、太陽ギア６６には平ワッシャー７６が外挿されており、出力軸６８の一端面と遊星ギア７４との間に生じるガタを吸収している。
【００５３】
この遊星ギア７４も、遊星ギア６０と同様に、ハウジング３０の内歯ギア６４に噛合し、太陽ギア６６によって自転すると共に、内歯ギア６４によって公転する。この遊星ギア７４の公転により、出力軸６８が回転する。
【００５４】
ここで、出力軸６８の他端面中央には、対面する円弧を切り落とした軸部７８が設けられている。この軸部７８が図２に示す受信部材１６の軸部２２に回り止めされた状態で固定される。
【００５５】
以上のような構成により、図３及び図４に示す入力軸２６のスライダー２８を回転させると、クリックベース３６の爪部３８が、入力軸２６のラチェット部３４に対して、スライダー２８の回転角度に応じて、係合又は係合解除を繰り返す。
【００５６】
一方、入力軸２６の回転により入力軸２６の太陽ギア５８が回転するため、太陽ギア５８を介して遊星ギア６０が回転（自転）する。このとき、遊星ギア６０とハウジング３０の内歯ギア６４との噛合により、遊星ギア６０が太陽ギア５８回りを公転する。
【００５７】
この遊星ギア６０の公転により、入力軸５２が回転するが、内歯ギア６４と遊星ギア６０のギア比（例えば、１／ｎ1）によって、入力軸２６の回転速度に対して減速された状態で入力軸５２は回転することとなる。
【００５８】
そして、入力軸５２の回転により、入力軸５２の太陽ギア６６が回転するため、太陽ギア６６を介して遊星ギア７４が回転（自転）する。このとき、遊星ギア７４とハウジング３０の内歯ギア６４との噛合により、遊星ギア７４が太陽ギア６６回りを公転する。
【００５９】
この遊星ギア７４の公転により、出力軸６８が回転するが、内歯ギア６４と遊星ギア７４のギア比（例えば、１／ｎ2）によって、入力軸５２の回転速度に対して減速された状態で出力軸６８は回転することとなる。
【００６０】
この出力軸６８の軸部７８を介して受信部材１６は回転することとなるが、図６に示すように、入力軸２６のスライダー２８の回転角度θ1に対して、受信部材１６は回転角度θ2となる。つまり、θ2＝θ1×１／ｎ1×１／ｎ2となる。
【００６１】
次に、本発明の実施の形態に係る減速ユニットの作用について説明する。
【００６２】
図１に示すように、外部に露出し受信部材１６を回転させるスライダー２８を設けた入力軸２６を、図２〜図４に示すように、ハウジング３０内に収納し、この入力軸２６に太陽ギア５８を設け、遊星ギア６０を噛合させると共に、ハウジング３０内には内歯ギア６４を設け、遊星ギア６０を噛合させ、遊星ギア６０を公転させて、入力軸５２を回転させるようにしているが、内歯ギア６４と遊星ギア６０のギア比によって、入力軸２６の回転速度に対して、入力軸５２を減速させた状態で回転させるようにしている。
【００６３】
さらに、入力軸５２にも入力軸２６と同様に、太陽ギア６６を設け、この太陽ギア６６に遊星ギア７４を噛合させると共に、ハウジング３０の内歯ギア６４に遊星ギア７４を噛合させ、遊星ギア７４を公転させて、出力軸６８を回転させるようにしているが、内歯ギア６４と遊星ギア７４のギア比によって、入力軸５２の回転速度に対して、出力軸６８を減速させた状態で回転させるようにしている。
【００６４】
つまり、入力軸２６の回転速度を基準に考えると、出力軸６８では、２段階で減速されることとなる。このように、２段階で減速されると、入力軸２６のスライダー２８の回転角度に対して、出力軸６８の軸部２２の回転角度は極めて小さくなってしまう。すなわち、入力角度に対して出力角度を微少にすることができ、厳密かつ高精度の回転角度を設定することができる。
【００６５】
このように、厳密かつ高精度の回転角度を設定することができる減速ユニット１０を、送信された信号を受信する受信機器又は信号を送信する送信機器に備えることで（なお、本形態では、受信機器としてのチューナー１２に減速ユニット１０を適用した）、受信機器の受信部又は送信機器の送信部の角度調節を厳密にすることができるため、映像信号、音声信号等を無線、赤外線等の通信手段により信号を送受信する場合、ノイズのない高速で効率的な送受信を行うことができる。
【００６６】
また、内歯ギア６４と遊星ギア６０、７４による簡単な構造で、受信部材１６の回転角度を減少させることができるため、モータなどを用いる場合と比較して安価である。
【００６７】
さらに、入力軸２６、遊星ギア６０、入力軸５２、遊星ギア７４、出力軸６８がハウジング３０内に配置されるため、各構成部品をユニット化することができ、組み立て作業が容易になる。また、遊星ギア６０、７４は、必ずしもそれぞれ２つずつ必要ではなく、１つであっても良い。
【００６８】
また、入力軸２６の内周面に、ラチェット部３４を形成し、クリックベース３６の外周面に、爪部３８を突出させ、ラチェット部３４に係合可能とすることで、スライダー２８を介して入力軸２６を回転させると、クリック感が得られると共に、ラチェット部３４のピッチに合わせて、入力軸２６を所定の回転角度で停止させることが可能となる。このため、入力軸２６を介して回転する受信部材１６を所定の回転位置に保持することができる。
【００６９】
また、ラチェット部３４に対して爪部３８が、係合状態から係合解除され再度係合状態となるとき、クリック音が発生するため、入力軸２６を回転させるときに、回転角度を感覚で得ることができる。
【００７０】
なお、本発明は本実施形態に限るものでないことは勿論のことである。例えば、本形態では、入力軸２６の外周面にスライダー２８を取付け、ハウジング３０及び受信部材１６に形成された開口部３２、２４を通じてスライダー２８を外部に露出させるようにしたが、必ずしもスライダー２８を設ける必要はなく、入力軸２６の外周面にローレット部を設け、入力軸２６の外周面が受信部材１６から露出するようにしても良い。
【００７１】
また、ここでは、モニター部（プラズマディスプレイや液晶、プロジェクターの等も含む）とチューナー部とが別体で構成されたテレビ送受信機器において説明したが、これに限るものではない。また、受信機器及び送信機器が必ずしも必要でなく、入力角度に対して出力角度を微少にすることを目的とする部材であれば良く、単に微量な回転角度の設定を行う部材であっても良い。
【図面の簡単な説明】
【００７２】
【図１】本発明の実施の形態に係る減速ユニットを備えたチューナーを示す斜視図である。
【図２】本発明の実施の形態に係る減速ユニットを示す横断面図である。
【図３】本発明の実施の形態に係る減速ユニットを示す分解斜視図である。
【図４】本発明の実施の形態に係る減速ユニットであり、図３の左右逆方向から見た分解斜視図である。
【図５】本発明の実施の形態に係る減速ユニットを示す縦断面図であり、太陽ギア、遊星ギア及び内歯ギアの関係を示す説明図である。
【図６】本発明の実施の形態に係る減速ユニットを示す縦断面図であり、入力軸と受信部材の回転角度の差を示す説明図である。
【符号の説明】
【００７３】
１０    減速ユニット
１２    チューナー（受信機器）
１６    受信部材（回転部材）
１８    チューナー本体（本体）
２６    入力軸（第１入力軸）
３０    ハウジング
３４    ラチェット部（被係合部）
３６    クリックベース
３８    爪部（係合部）
５２    入力軸（第２入力軸）
５８    太陽ギア（第１太陽歯車）
６０    遊星ギア（第１遊星歯車）
６４    内歯ギア（内歯歯車）
６６    太陽ギア（第２太陽歯車）
６８    出力軸
７４    遊星ギア（第２遊星歯車）
【図１】
2006077882.tif 000003
【図２】
2006077882.tif 000004
【図３】
2006077882.tif 000005
【図４】
2006077882.tif 000006
【図５】
2006077882.tif 000007
【図６】
2006077882.tif 000008